(57)【要約】【課題】  カバン等に収容する場合に、縦向きと横向きとの両方に収容しても、飯器および菜器が良好な収納姿勢を維持できるようにする。【解決手段】  ご飯を収納する飯器を出し入れ自在に収納する保温容器１とおかずを収納する菜器３とからなる弁当箱セットＺを収納する弁当箱収納袋において、前記保温容器１と前記菜器３とを共に開口部１ｃ，３ａを上面として縦置きとする縦置き収納形態と、前記保温容器１と前記菜器３とを共に開口部１ｃ，３ａを上面として横置きとする横置き収納形態とを取り得るように構成して、弁当箱セットＺを縦置き収納形態および横置き収納形態で収納した場合であっても、保温容器１および菜器３の開口部１ｃ，３ａが共に上向きとなり、菜器３に収納されたおかずが偏ったり、汁漏れを生じたりすることがなくなるようにしている。【選択図】  図３
2012231844.tif 000002
【特許請求の範囲】
【請求項１】
ご飯を収納する飯器とおかずを収納する菜器とからなる弁当箱セットを収納する弁当箱収納袋であって、前記飯器と前記菜器とを共に開口部を上面として縦置きとする縦置き収納形態と、前記飯器と前記菜器とを共に開口部を上面として横置きとする横置き収納形態とを取り得るように構成したことを特徴とする弁当箱収納袋。
【請求項２】
ご飯を収納する飯器を出し入れ自在に収納する保温容器とおかずを収納する菜器とからなる弁当箱セットを収納する弁当箱収納袋であって、前記保温容器と前記菜器とを共に開口部を上面として縦置きとする縦置き収納形態と、前記飯器と前記菜器とを共に開口部を上面として横置きとする横置き収納形態とを取り得るように構成したことを特徴とする弁当箱収納袋。
【請求項３】
前記弁当箱収納袋には、横置き収納形態時にも縦置き収納形態時にも前記飯器および前記菜器の開口部が上向きとなるように支持する１本の把持部を付設したことを特徴請求項１および２のいずれか一項記載の弁当箱収納袋。
【発明の詳細な説明】
【技術分野】
【０００１】
本願発明は、弁当箱収納袋に関し、さらに詳しくは縦置きにも横置きにも対応できる弁当箱収納袋に関するものである。
【背景技術】
【０００２】
従来から、飯器および菜器からなる弁当箱セットを一つの収納容器内に収納し得るように構成した弁当箱収納容器は、良く知られている（例えば、特許文献１参照）。
【０００３】
【特許文献１】特許第４３０１２０４号公報
【発明の概要】
【発明が解決しようとする課題】
【０００４】
ところで、近年、弁当箱収納容器をカバン等に収容する場合、カバン等の内容積の大きさやカバンに他に入れるものによって、縦置きに収容したい場合と横置きに収容したい場合とがあり、一方向だけの収容では不便であるという問題があった。例えば、縦置き用の収納容器を横向きに収容したり、横置き用の収納容器を縦向きに収容すると、菜器が横向き（即ち、開口部が横向き）となってしまい、菜器内に収納されたおかずが下方に偏ってしまってつぶれるおそれがあるとともに、汁漏れしてしまうおそれがある。
【０００５】
本願発明は、上記のような課題を解決するために行われたものであり、カバン等に収容する場合に、縦向きと横向きとの両方に収容しても、飯器および菜器が良好な収納姿勢を維持できるようにすることを目的としてなされたものである。
【課題を解決するための手段】
【０００６】
本願発明では、上記課題を解決するための第１の手段として、ご飯を収納する飯器とおかずを収納する菜器とからなる弁当箱セットを収納する弁当箱収納袋において、前記飯器と前記菜器とを共に開口部を上面として縦置きとする縦置き収納形態と、前記飯器と前記菜器とを共に開口部を上面として横置きとする横置き収納形態とを取り得るように構成している。
【０００７】
上記のように構成したことにより、弁当箱セットを縦置き収納形態および横置き収納形態で収納した場合であっても、飯器および菜器の開口部が共に上向きとなり、菜器に収納されたおかずが偏ったり、汁漏れを生じたりすることがなくなる。従って、カバン等に弁当箱収納袋を縦向きあるいは横向きに収納した場合であっても、飯器および菜器が常に良好な収納姿勢を維持することができる。
【０００８】
本願発明では、上記課題を解決するための第２の手段として、ご飯を収納する飯器を出し入れ自在に収納する保温容器とおかずを収納する菜器とからなる弁当箱セットを収納する弁当箱収納袋において、前記保温容器と前記菜器とを共に開口部を上面として縦置きとする縦置き収納形態と、前記飯器と前記菜器とを共に開口部を上面として横置きとする横置き収納形態とを取り得るように構成している。
【０００９】
上記のように構成したことにより、弁当箱セットを縦置き収納形態および横置き収納形態で収納した場合であっても、飯器を出し入れ自在に収納する保温容器および菜器の開口部が共に上向きとなり、菜器に収納されたおかずが偏ったり、汁漏れを生じたりすることがなくなる。従って、カバン等に弁当箱収納袋を縦向きあるいは横向きに収納した場合であっても、保温容器および菜器が常に良好な収納姿勢を維持することができる。しかも、保温容器および菜器を横置き収納形態で収納した場合や保温容器を菜器の上に載せた状態で収納した場合には、飯器の熱が菜器に伝わりにくくなり、菜器内のおかずの腐敗防止にも寄与する。
【００１０】
本願発明では、さらに、上記課題を解決するための第３の手段として、上記第１又は第２の手段を備えた弁当箱収納袋において、前記弁当箱収納袋に、横置き収納形態時にも縦置き収納形態時にも前記飯器および前記菜器の開口部が上向きとなるように支持する１本の把持部を付設することもでき、そのように構成した場合、弁当箱収納袋に１本の把持部を付設するだけで、横置き収納形態時にも縦置き収納形態時にも飯器および菜器の開口部が上向きとなるように支持することができることとなり、カバン等に対して弁当箱収納袋を、横置き収納形態時にも縦置き収納形態時にも、飯器および菜器の開口部が上向きとなるように出し入れすることが可能となる。
【発明の効果】
【００１１】
本願発明の第１の手段によれば、ご飯を収納する飯器とおかずを収納する菜器とからなる弁当箱セットを収納する弁当箱収納袋において、前記飯器と前記菜器とを共に開口部を上面として縦置きとする縦置き収納形態と、前記飯器と前記菜器とを共に開口部を上面として横置きとする横置き収納形態とを取り得るように構成して、弁当箱セットを縦置き収納形態および横置き収納形態で収納した場合であっても、飯器および菜器の開口部が共に上向きとなり、菜器に収納されたおかずが偏ったり、汁漏れを生じたりすることがなくなることとなり、カバン等に弁当箱収納袋を縦向きあるいは横向きに収納した場合であっても、飯器および菜器が常に良好な収納姿勢を維持することができるという効果がある。
【００１２】
本願発明の第２の手段によれば、ご飯を収納する飯器を出し入れ自在に収納する保温容器とおかずを収納する菜器とからなる弁当箱セットを収納する弁当箱収納袋において、前記保温容器と前記菜器とを共に開口部を上面として縦置きとする縦置き収納形態と、前記飯器と前記菜器とを共に開口部を上面として横置きとする横置き収納形態とを取り得るように構成して、弁当箱セットを縦置き収納形態および横置き収納形態で収納した場合であっても、飯器を出し入れ自在に収納する保温容器および菜器の開口部が共に上向きとなり、菜器に収納されたおかずが偏ったり、汁漏れを生じたりすることがなくなるようにしたので、カバン等に弁当箱収納袋を縦向きあるいは横向きに収納した場合であっても、保温容器および菜器が常に良好な収納姿勢を維持することができるという効果がある。しかも、保温容器および菜器を横置き収納形態で収納した場合や保温容器を菜器の上に載せた状態で収納した場合には、飯器の熱が菜器に伝わりにくくなり、菜器内のおかずの腐敗防止にも寄与するという効果もある。
【００１３】
本願発明の第３の手段におけるように、上記第１又は第２の手段を備えた弁当箱収納袋において、前記弁当箱収納袋に、横置き収納形態時にも縦置き収納形態時にも前記飯器および前記菜器の開口部が上向きとなるように支持する１本の把持部を付設することもでき、そのように構成した場合、弁当箱収納袋に１本の把持部を付設するだけで、横置き収納形態時にも縦置き収納形態時にも飯器および菜器の開口部が上向きとなるように支持することができることとなり、カバン等に対して弁当箱収納袋を、横置き収納形態時にも縦置き収納形態時にも、飯器および菜器の開口部が上向きとなるように出し入れすることが可能となる。
【図面の簡単な説明】
【００１４】
【図１】本願発明の実施の形態にかかる弁当箱収納袋の横置き収納形態を示す全体斜視図である。
【図２】本願発明の実施の形態にかかる弁当箱収納袋の縦置き収納形態を示す全体斜視図である。
【図３】図１のＩＩＩ−ＩＩＩ断面図である。
【図４】図２のＩＶ−ＩＶ断面図である。
【図５】図４において飯器と菜器とを逆の姿勢とした場合を示す断面図である。
【図６】本願発明の実施の形態にかかる弁当箱収納袋において蓋部を開蓋した状態を示す全体斜視図である。
【図７】本願発明の実施の形態にかかる弁当箱収納袋に収納される保温容器の拡大断面図である。
【図８】本願発明の実施の形態にかかる弁当箱収納袋に収納される菜器の拡大断面図である。
【発明を実施するための形態】
【００１５】
以下、添付の図面を参照して、本願発明の実施の形態について説明する。
【００１６】
この弁当箱収納袋Ａは、図１〜図４に示すように、ご飯を収納する飯器２（図７参照）を出し入れ自在に収納する保温容器１とおかずを収納する二つの菜器３，３とからなる弁当箱セットＺを収納するために使用されるものである。
【００１７】
前記保温容器１は、図７に示すように、ステンレス鋼等からなる内筒１ａと外筒１ｂとの間を真空状態とした円筒形状の真空二重容器からなっており、その上部に設けられた開口部１ｃに対してご飯Ｘを収納する金属製あるいは合成樹脂製の飯器２を出し入れ自在とされている。符号２ｂは飯器２の上部に設けられた開口部２ａに対して着脱自在とされた非断熱構造の蓋体である。他の実施の形態においては、飯器２自体を真空二重容器からなる断熱構造の保温容器で構成する場合もある。
【００１８】
前記菜器３は、図８に示すように、合成樹脂製の非断熱構造の直方体形状の容器からなっており、内部には、おかずＹが収納されることとなっている。符号３ｂは菜器３の上部に設けられた開口部３ａに対して着脱自在とされた非断熱構造の蓋体である。
【００１９】
本実施の形態においては、二つの菜器３，３が使用されているので、１個の菜器３の高さＨ2は、保温容器１の高さＨ1の半分（即ち、Ｈ1＝２Ｈ2)とするのが望ましい。なお、３個の菜器を使用する場合には、１個の菜器３の高さは、保温容器１の１／３とされる。また、菜器３の平面視形状は、前記保温容器１の直径Ｒと略等しい一辺の長さを有する正方形とするのが望ましい。
【００２０】
前記弁当箱収納袋Ａは、合成樹脂製の織物からなる略直方体形状の収納袋本体４と該収納袋本体４の一側面４ａを構成するとともにファスナー６を介して開閉自在とされた蓋部とからなっている（図６参照）。該ファスナー６は、前記収納袋本体４における一側面４ａの端部において横置き収納形態（図３に示す収納形態）時に上部となる部分から縦置き収納形態（図４および図５に示す収納形態）時に上部および下部となる部分にかけて設けられており、該ファスナー６を全開したときには、一側面４ａ（換言すれば、蓋部）が全開されることとなっている。また、前記ファスナー６は、通常の使用形態と相異しており、裏面側が表に向くように前記収納袋本体４の端部に取り付けられている。このようにすると、ファスナー６のギザギサ状の刃の部分が表側に現れないので、弁当箱収納袋Ａを鞄等に出し入れする際にも、鞄等の内面や鞄等に入っている収納物を傷つけるおそれがなくなる。さらに、この場合、ファスナー６を開閉するためのツマミ（スラスダー）６ａは、両開きが可能なように２個使用されている。このようにすると、ファスナー６を両開きとすることができ、使い勝手が良くなる。なお、前記ファスナー６の取付位置は、収納袋本体４における一側面４ａの端部に限定されるものではなく、ファスナー６を全開したときに収納袋本体４の一側面４ａ（換言すれば、蓋部）が全開され得る位置であれば、収納袋本体４の側端よりやや内側（換言すれば、収納袋本体４側に寄った位置）であってもよい。前記一側面４ａの長辺寸法Ｌ1は、前記保温容器１（飯器と保温容器とが一体構造の場合は飯器）と前記菜器３，３とを共に開口部を上面として縦置きとする縦置き収納形態（図４および図５に示す収納形態）を取り得る寸法（即ち、２Ｈ1）とされ、前記一側面４ａの短辺寸法Ｌ2は、前記保温容器１（飯器と保温容器とが一体構造の場合は飯器）と前記菜器３，３とを共に開口部を上面として横置きとする横置き収納形態（図３に示す収納形態）とを取り得る寸法（即ち、Ｈ1）とされる。また、前記弁当箱収納袋Ａの幅寸法Ｄは、保温容器１（飯器と保温容器とが一体構造の場合は飯器）の直径Ｒ（および菜器３の平面視における一辺の寸法）と略等しくされている。
【００２１】
さらにまた、前記弁当箱収納袋Ａにおけるコーナー部（例えば、収納袋本体４および蓋部となる一側面４ａのコーナー部）には、パイプ形状の樹脂の芯が施されている。このようにすると、コーナー部の強度が増大し、弁当箱収納袋Ａの保形性が向上することとなる。
【００２２】
上記のように構成したことにより、弁当箱セットＺを縦置き収納形態および横置き収納形態で収納した場合であっても、飯器２（および、飯器２を出し入れ自在に収納する保温容器１）および菜器３，３の開口部が共に上向きとなり、菜器３，３に収納されたおかずＹが偏ったり、汁漏れを生じたりすることがなくなることとなり、カバン等に弁当箱収納袋Ａを縦向きあるいは横向きに収納した場合であっても、飯器２（および、飯器２を出し入れ自在に収納する保温容器１）および菜器３，３を常に良好な収納姿勢で維持することができる。しかも、飯器２を出し入れ自在に収納する保温容器１および菜器３，３を横置き収納形態で収納した場合や保温容器１を菜器３，３の上に載せた状態で収納した場合（図４参照）、飯器２の熱が菜器３に伝わりにくくなり、菜器３，３内のおかずＹの腐敗防止にも寄与する。また、飯器２（および、飯器２を出し入れ自在に収納する保温容器１）の上に菜器３，３を載せた状態で収納した場合（図５参照）、菜器３内のおかずＹの種類によっては（熱を加えた方が美味しく食べられるものの場合）、好ましくなる。また、前記弁当箱収納袋Ａを、合成樹脂製の織物からなる略直方体形状の収納袋本体４と該収納袋本体４の一側面４ａを構成するとともにファスナー６を介して開閉自在とされた一側面４ａ（換言すれば、蓋部）とによって構成したことにより、一側面４ａを開放状態としたとき、図６に示すように、収納袋本体４の一側面４ａ全体が開放されることとなり、前記保温容器１（飯器と保温容器とが一体構造の場合は飯器）と前記菜器３，３とを共に開口部を上面として縦置きとする縦置き収納形態（図４および図５に示す収納形態）とした場合においても、前記保温容器１（飯器と保温容器とが一体構造の場合は飯器）と前記菜器３，３とを共に開口部を上面として横置きとする横置き収納形態（図３に示す収納形態）とした場合においても、前記保温容器１（飯器と保温容器とが一体構造の場合は飯器）と前記菜器３，３とを容易に出し入れすることが可能となる。
【００２３】
さらに、前記収納袋本体４には、横置き収納形態時にも縦置き収納形態時にも前記飯器２および前記菜器３の開口部２ａ，３ａが上向きとなるように支持する１本の把持部７が付設されている。該把持部７は、収納袋本体４と同質の材料からなる１本の帯状体からなっており、幅寸法は、収納袋本体４の幅寸法の略１／３とされている。
【００２４】
そして、この把持部７の一端側７ａは、横置き収納形態時に上面となる部分４ｂの端部側（即ち、縦置き収納形態時に下端となる部位）に対して縫い付け等により固定される一方、把持部７の他端側７ｂは、縦置き収納形態時に上面となる部分４ｃの他端側（即ち、横置き収納形態時に下端となる部位）に対して縫い付け等により固定されており、途中部分は、収納袋本体４とは分離可能となっている。このようにすると、横置き収納形態時にも縦置き収納形態時にも飯器２および菜器３，３の開口部が上向きとなるように支持することができることとなり、カバン等に対して弁当箱収納袋Ａを、横置き収納形態時にも縦置き収納形態時にも、飯器２および菜器３，３の開口部が上向きとなるように出し入れすることが可能となるとともに、横置き収納形態時においても、縦置き収納形態時においても、収納袋本体４における上下面を外観目視において明確に見分けることが可能となる。
【００２５】
なお、本願発明は、上記実施の形態において説明したものに限定されるものではなく、発明の要旨を逸脱しない範囲において適宜設計変更可能なことは勿論である。
【符号の説明】
【００２６】
１は保温容器
１ｃは開口部
２は飯器
２ａは開口部
３は菜器
３ａは開口部
４は収納袋本体
４ａは一側面
５は蓋部
６はファスナー
７は把持部
Ａは弁当箱収納袋
Ｘはご飯
Ｙはおかず
Ｚは弁当箱セット
【図１】
2012231844.tif 000003
【図２】
2012231844.tif 000004
【図３】
2012231844.tif 000005
【図４】
2012231844.tif 000006
【図５】
2012231844.tif 000007
【図６】
2012231844.tif 000008
【図７】
2012231844.tif 000009
【図８】
2012231844.tif 000010